(57)【要約】【課題】浴槽等の水槽内に注入する水あるいは湯の量を削減し、また水槽内において各種の用途に利用可能であって、しかも水槽内の菌の繁殖を抑えるようにした水槽用ブロックを提供する。【解決手段】ほぼ直方体状をなし、外表面に形成された係合孔１２と係合される連結ピン１１によって複数個を連結することができ、しかも外表面に形成された抗菌コート層１８の抗菌作用によって、浴槽内の菌の発生を抑制する。【選択図】図１
0003122038.tif 000002
【実用新案登録請求の範囲】
【請求項１】
所定の体積を有し、少なくとも外表面が抗菌性であって、水槽内に置かれる水槽用ブロック。
【請求項２】
抗菌性材料によって成形されたものであることを特徴とする請求項１に記載の水槽用ブロック。
【請求項３】
抗菌剤を含む抗菌層が外表面に形成されていることを特徴とする請求項１に記載の水槽用ブロック。
【請求項４】
連結手段を有し、互いに連結して用いることが可能であることを特徴とする請求項１に記載の水槽用ブロック。
【請求項５】
前記連結手段が連結ピンと、該連結ピンの端部を受入れる係合孔とから構成されることを特徴とする請求項４に記載の水槽用ブロック。
【請求項６】
上面に取手を備えることを特徴とする請求項１に記載の水槽用ブロック。
【考案の詳細な説明】
【技術分野】
【０００１】
本考案は水槽用ブロックに係り、とくに水槽内に配置して各種の用途に用いられる水槽用ブロックに関する。
【背景技術】
【０００２】
一般に浴槽は、その内部に直方体状の空間が形成され、所定の容量の湯を注入して入浴に供するようになっている。そしてこの種の浴槽は、その底面がほぼ水平な状態になっている。従って入浴する際には、浴槽内に入って底板上に坐ることになる。
【０００３】
このように通常の浴槽は、一定の深さであってしかも底面が水平な底板から構成されている。従って子供等の場合には、底部に坐ることができず、腰かけるための適当な高さの座を設けることが好ましい。またとくに高齢者等の場合には、体の一部、例えば肘を載せる台等が水槽内に設置されることが好ましい。また内部空間が必要以上に大きな容量を有すると、その総ての容積内に湯を注入して入浴しなければならず、必要以上の湯を入れなければならないために、これによって水道代や光熱費がかさむ欠点がある。
【考案の開示】
【考案が解決しようとする課題】
【０００４】
本願考案の課題は、水槽内において、各種の目的に用いることができるブロックを提供することである。
【０００５】
本願考案の別の課題は、水槽内に入れる水あるいは湯の量を節約し、これによって水道代あるいは光熱費を節約するようにした水槽用ブロックを提供することである。
【０００６】
本願考案のさらに別の課題は、水槽の内部に配置して菌の繁殖を抑えるようにした水槽用ブロックを提供することである。
【０００７】
本願考案のさらに別の課題は、使用目的に応じて任意に連結したり分離したりすることができる水槽用ブロックを提供することである。
【０００８】
本願考案の上記の課題および別の課題は、以下に述べる本願考案の技術的思想、およびその実施の形態によって明らかににされよう。
【課題を解決するための手段】
【０００９】
本願考案は、所定の体積を有し、少なくとも外表面が抗菌性であって、水槽内に置かれる水槽用ブロックに関するものである。
【００１０】
ここで、抗菌性材料によって成形されたものであってよい。また抗菌剤を含む抗菌層が外表面に形成されていてよい。また連結手段を有し、互いに連結して用いることが可能であることが好ましい。また前記連結手段が連結ピンと、該連結ピンの端部を受入れる係合孔とから構成されてよい。また上面に取手を備えてよい。
【考案の効果】
【００１１】
本願の主要な考案は、所定の体積を有し、少なくとも外表面が抗菌性であって、水槽内に置かれる水槽用ブロックに関するものである。
【００１２】
従ってこのような水槽用ブロックを水槽内に配置すると、各種の目的にこの水槽用ブロックを利用することができる。またこの水槽用ブロックによって排除される水の容積に相当する分の水あるいは湯の使用量を削減することが可能になる。また外表面が抗菌性を有するために、水槽内における菌の繁殖が抑えられることになる。
【考案を実施するための最良の形態】
【００１３】
以下本願考案を図示の実施の形態によって説明する。図１〜図３は、本実施の形態に係る浴槽用ブロックを示すものであって、この浴槽用ブロックは、直方体状のブロックである。すなわち一辺が約３０ｃｍの直方体状の形状をなし、しかもコーナの部分が曲面から構成されている。そしてこのようなブロック１０は、連結ピン１１によって互いに連結されるようになっている。すなわちブロック１０の外表面上には、その各面の４つのコーナの近傍にそれぞれ係合孔１２が形成され、この係合孔１２に連結ピン１１の端部を挿入して連結するようになっている。またブロック１０の上面には取手１３が形成され、この取手１３の両側が凹部になっている（図２Ｂ参照）。
【００１４】
このようなブロック１０は、例えば合成樹脂によって成形されてよく、この場合にその比重が１よりも小さいと、水中で浮くために、所定の大きさの鉄片等から成るおもり１７を埋設して成形するようにしている（図３参照）。ここでおもり１７の位置を調整することによって、ブロック１０の重心の位置を底部側に配することが可能になる。またこのようなブロック１０の外表面上には抗菌コート層１８が形成され、この抗菌コート層１８によってこのブロック１０の外表面に抗菌性を持たせるようにしている。
【００１５】
なお抗菌剤としては、塩化ベンザルコニウム、ヘキサメチレンビグアミド塩酸塩、ポリヘキサメチレンビグアミド塩酸塩、有機シリコン系第四級アンモニウム塩、金属化合物等が用いられる。このような抗菌剤は、ブロックを構成する樹脂の表面の官能基に反応させて固定してもよいが、抗菌剤を反応性樹脂と混合し、上記ブロック１０の表面に塗布して加熱硬化させることにより抗菌コート層１８を形成するのが好適である。
【００１６】
このようなブロック１０は、例えば図４に示すように、浴槽２０内に配されるようになっている。この場合に、ブロック１０によって、その体積に相当する部分の容量の水が排除されるために、浴槽２０内に入れる水あるいは湯の量を節約することが可能になり、水道代および光熱費の節減になる。また浴槽２０内に配置されたブロック１０は、浴槽２０内において椅子として、あるいはまた肘掛けとして使用することができる。すなわちこのブロック１０の大きさや、組合わされるブロック１０の数等によって、各種の用途に広く利用可能である。またこのようなブロック１０は、その外表面の抗菌コート層１８によって、浴槽内における菌の繁殖が抑えられるようになる。そしてブロック１０が合成樹脂によって成形されているために、人体に触れても冷たい感じがしない。
【００１７】
またこのようなブロック１０は、上述の如く係合孔１２に係合される連結ピン１１によって、横方向にも、高さ方向にも任意に連結することができるために、各種の目的に応じて連結することが可能になる。またこのブロック１０の底面に、滑止めの機能のついた専用のシートを連結してよい。この場合にも、上記連結ピン１１を受入れる係合孔１２を利用して上記のシートをブロック１０の底面に取付けるようにしてもよい。これによって浴槽内での安定感が向上し、事故の危険が少なくなる。
【００１８】
次に別の実施の形態を図５および図６によって説明する。この実施の形態は、図５に示すようにほぼ直方体状の外観を有するとともに、図６に示すように内部が空洞になっている。なおこのような中空ブロック３０は、上記第１の実施の形態の抗菌コート層１８に錬込まれる抗菌剤と同様の抗菌剤を錬込んだ樹脂によって成形されるために、中空ブロック３０それ自体が抗菌性を有している。そして中空ブロック３０はその総ての面にそれぞれ４つの係合孔３１を備えるとともに、上面に取手３２が形成されている。取手３２の両側には凹部３３が形成される。
【００１９】
またこの中空ブロック３０は、側面の所定の位置に注入口３５が形成され、この注入口３５の部分をキャップ３６で塞ぐようにしている。すなわち不使用時においては、中空ブロック３０内は空になっており、使用時にキャップ３６を取外して注入口３５から内部の空間に水を注入するようにしている。そして水を注入した後に再びキャップ３６を閉じるようにしている。このような構成によると、使うときだけ中に水を入れるために、使用しないときは軽量であってその取扱いが容易になる利点がある。なおこのような中空ブロック３０についても、その底面に滑止め機能のついたシートを取付けるようにしてよい。
【００２０】
以上本願考案を図示の実施の形態によって説明したが、本願考案は上記実施の形態によって限定されることなく、本願考案の技術的思想の範囲内において各種の変更が可能である。すなわちこのようなブロック１０あるいは中空ブロック３０は、一般家庭用の浴槽、高齢者の介護施設の浴槽、入浴娯楽施設の浴槽、あるいはプール等において用いることができる。またブロック１０、３０の大きさについても、任意に変更可能であって、各種の大きさのブロックを用いるようにしてよい。
【産業上の利用可能性】
【００２１】
本願考案は、浴槽用ブロックとして利用することができる。
【図面の簡単な説明】
【００２２】
【図１】第１の実施の形態のブロックの外観斜視図である。
【図２】同ブロックの正面図（Ａ）および平面図（Ｂ）である。
【図３】同ブロックを連結した状態の断面図である。
【図４】同ブロックを水中に配置した状態の浴槽の断面図である。
【図５】第２の実施の形態のブロックの外観斜視図である。
【図６】同ブロックの縦断面図である。
【符号の説明】
【００２３】
１０  ブロック
１１  連結ピン
１２  係合孔
１３  取手
１４  凹部
１７  おもり
１８  抗菌コート層
２０  浴槽
３０  中空ブロック
３１  係合孔
３２  取手
３３  凹部
３５  注入口
３６  キャップ
【図１】
0003122038.tif 000003
【図２】
0003122038.tif 000004
【図３】
0003122038.tif 000005
【図４】
0003122038.tif 000006
【図５】
0003122038.tif 000007
【図６】
0003122038.tif 000008